(57)【要約】【課題】簡易な構成により、小片が移動する際のパターン化を排除することができる小片収容器及びその小片収容器を用いた万華鏡を提供する。【解決手段】万華鏡は、筒状の本体容器１０と、カバー部２０と、覗き窓部３０と、小片を収容する小片収容器４０とを備える。本体容器１０の一方の端部には小片収容器４０が設けられ、他方の端部には覗き窓部３０が設けられている。小片収容器４０の全体形状は略柱状体であり、小片収容器４０をその中心軸に垂直な平面により切断した断面の形状は、一つの凹部を有するハート形の形状である。このように、小片収容器４０の内側面が複雑な形状になっているので、使用者が万華鏡を覗きながら回すと、小片は小片収容器４０の内側面の形状に応じて移動方向、移動スピードの異なる複雑な動きを行う。【選択図】図１
2013205537.tif 000002
【特許請求の範囲】
【請求項１】
万華鏡に使用される、小片を収容するための小片収容器であって、
全体形状が略柱状体であり、中心軸に垂直な平面により切断した断面形状が少なくとも一つの凹部を有する形状であることを特徴とする小片収容器。
【請求項２】
前記凹部は、二つの直線又は曲線からなる略Ｖ字形状に形成されていることを特徴とする請求項1記載の小片収容器。
【請求項３】
前記断面形状は、直線状部と曲線状部とを有することを特徴とする請求項１又は２記載の小片収容器。
【請求項４】
前記断面形状は、ハート形の形状であることを特徴とする請求項１、２又は３記載の小片収容器。
【請求項５】
側面が透明な部材で形成され、内部に液体が空気とともに封入されていることを特徴とする請求項１、２、３又は４記載の小片収容器。
【請求項６】
請求項１乃至５の何れか１項記載の小片収納容器と、前記小片収容器が一方の端部に設けられ、他方の端部に覗き窓部が形成された、鏡部を有する本体容器とを備えることを特徴とする万華鏡。
【発明の詳細な説明】
【技術分野】
【０００１】
本発明は、万華鏡に使用される、ガラスやビーズ等の小片を収容するための小片収容器及びその小片収容器を用いた万華鏡に関するものである。
【背景技術】
【０００２】
万華鏡は、覗き窓から鏡による反射映像を観て楽しむ工芸品である。従来の一般的な万華鏡は、ガラスやビーズ等の小片を収容する小片収容器と、内部に複数の鏡が設けられた本体容器とを備え、本体容器に設けられた覗き窓から鏡により多重に反射された小片の反射映像を観る構成となっている（例えば、特許文献１参照。）。
【先行技術文献】
【特許文献】
【０００３】
【特許文献１】特開２０１１−２４２７３５号公報
【発明の概要】
【発明が解決しようとする課題】
【０００４】
ところで、従来の万華鏡は、全体形状が円柱形状或いは三角柱形状に形成され、したがって小片収容器も円柱形状或いは三角柱形状に形成されている。このため、従来の万華鏡には、小片が小片収容器の内側に沿って移動する際に、小片の移動がパターン化されやすく、したがって小片の反射映像の変化が単調になりやすいという問題があった。
【０００５】
本発明は上記事情に基づいてなされたものであり、簡易な構成により、小片が移動する際のパターン化を排除することができる小片収容器及びその小片収容器を用いた万華鏡を提供することを目的とするものである。
【課題を解決するための手段】
【０００６】
上記の目的を達成するための本発明は、万華鏡に使用される、小片を収容するための小片収容器であって、全体形状が略柱状体であり、中心軸に垂直な平面により切断した断面形状が少なくとも一つの凹部を有する形状であることを特徴とするものである。
【０００７】
かかる構成により、使用者が本発明の小片収容器を使用した万華鏡を覗きながら回すと、小片は小片収容器の凹部の近くでは、不規則な動きを行うことになる。このように、本発明の小片収容器では、小片に不規則な動きを行わせて、小片が移動する際のパターン化を排除することができるので、この小片収容器を用いた万華鏡は、小片の不規則な変化が生み出す、従来にない複雑な反射映像を表現することができる。
【０００８】
また、本発明の小片収容器において、中心軸に垂直な平面により切断した断面形状における凹部は、二つの直線又は曲線からなる略Ｖ字形状に形成されていることが望ましい。これにより、小片は小片収容器の略Ｖ字状の凹部の近くでは、急激に不規則な動きを行うことになるので、この小片収容器を用いた万華鏡の使用者は、かかる小片の不規則で急激な変化が生み出す複雑な反射映像を楽しむことができる。
【０００９】
また、本発明の小片収容器において、中心軸に垂直な平面により切断した断面形状は、直線状部と曲線状部とを有することが望ましい。これにより、小片は小片収容器の内側面のうち直線状部に沿って移動する場合と曲線状部に沿って移動する場合とで、移動方向、移動スピードの異なる動きを行うことになるので、この小片収容器を用いた万華鏡の使用者は、直線状部と曲線状部による小片の変化が生み出す反射映像をも楽しむことができる。
【００１０】
また、本発明の小片収容器において、中心軸に垂直な平面により切断した断面形状は、ハート形の形状であることが望ましい。例えばこのハート形の形状を二つの曲線状部と二つの直線状部とから構成することにより、小片収容器を容易且つコンパクトに作製することができる。
【００１１】
更に、本発明の小片収容器において、側面が透明な部材で形成され、内部に液体が空気とともに封入されていることが望ましい。これにより、小片収容器内には液体と空気との境界面が生じるが、万華鏡では、この境界面と小片収容器の内面との境界線も小片とともに映像表現の一部を構成する。かかる境界線も小片収容器の凹部の近くでは、不規則な動きを行うことになるので、この小片収容器を使用した万華鏡の使用者は、小片及び当該境界線の不規則な変化が作り出す、従来にない複雑な反射映像を楽しむことができる。
【００１２】
また、上記の目的を達成するための本発明に係る万華鏡は、上記の小片収容器と、小片収容器が一方の端部に設けられ、他方の端部に覗き窓部が形成された、鏡部を有する本体容器とを備えることを特徴とするものである。
【００１３】
本発明の万華鏡では、小片収容器をその中心軸に垂直な平面により切断した断面形状が少なくとも一つの凹部を有する形状であることにより、使用者が万華鏡を覗きながら回すと、小片は小片収容器の凹部の近くでは、不規則な動きを行うことになる。このように、小片収容器内において、小片に不規則な動きを行わせて、小片が移動する際のパターン化を排除することができるので、本発明の万華鏡は、小片の不規則な変化が生み出す、従来にない反射映像を表現することができる。
【発明の効果】
【００１４】
本発明に係る小片収容器及びその小片収容器を用いた万華鏡によれば、簡易な構成により、使用者が万華鏡を覗きながら回すときに、小片に不規則な動きを行わせて、小片が移動する際のパターン化を排除することができるので、使用者は、かかる小片の不規則な変化が生み出す、従来にない複雑な反射映像を楽しむことができる。
【図面の簡単な説明】
【００１５】
【図１】図１は本発明の一実施形態である小片収容器を使用した万華鏡の概略斜視図である。
【図２】図２はその万華鏡の概略右側面図である。
【図３】図３は本実施形態の小片収容器の概略斜視図である。
【図４】図４はその小片収容器の概略正面図である。
【図５】図５はその小片収容器の断面形状を説明するための図である。
【図６】図６はその小片収容器内の小片の動きを説明するための図である。
【図７】図７は小片収容器の断面形状の他の変形例を説明するための図である。
【発明を実施するための形態】
【００１６】
以下に、図面を参照して、本願に係る発明を実施するための最良の形態について説明する。図１は本発明の一実施形態である小片収容器を使用した万華鏡の概略斜視図、図２はその万華鏡の概略右側面図である。
【００１７】
本実施形態の小片収容器を使用した万華鏡は、図１及び図２に示すように、本体容器１０と、カバー部２０と、覗き窓部３０と、小片収容器４０とを備える。本体容器１０は筒状に形成されている。この本体容器１０の中心軸方向における一方の端部には小片収容器４０が設けられ、他方の端部には覗き窓部３０が設けられている。尚、図１では、カバー部２０の一部を切り欠いた状態の万華鏡を示している。
【００１８】
本体容器１０は中空状になっており、この本体容器１０内には鏡部（不図示）が収容されている。一般に、鏡部は、複数の鏡面を内側に向けて多角形形状に配置したものである。例えば、本実施形態では、鏡部として、二枚の短冊状鏡面と一枚の短冊状の黒い吸収面とを三角形状に配置したものを用いている。本体容器１０の中心軸方向に沿った長さは約１４ｃｍであり、本体容器１０をその中心軸に垂直な平面により切断した断面の形状はハート形の形状になっている。また、本体容器１０は透明なアクリル樹脂で作製されている。尚、この本体容器１０は木製のものであってもよい。
【００１９】
カバー部２０は本体容器１０の側面を覆うものである。これにより、使用者が本体容器１０内に収容された鏡部を直接見ることができないようにしている。本実施形態では、カバー部２０の素材としてシート状の皮革を用いている。このシート状の皮革で本体容器１０の側面を覆い、その皮革の両端部を紐２１で結ぶことにより、カバー部２０を、本体容器１０の側面に密着させた状態で本体容器１０に取り付けている。ここで、皮革の一方の端部の裏には、紐２１や鳩目２２が本体容器１０に直接触れるのを防ぐための当て布２３設けられている。
【００２０】
覗き窓部３０は本体容器１０の一方の端部に取り付けられている。この覗き窓部３０は不透明なプラスチック材料を用いて作製されている。ここで、覗き窓部３０の形状は本体容器１０の断面形状と同様にハート形の形状である。また、覗き窓部３０の略中央には孔部３１が形成され、この孔部３１には透明な部材が装着されている。使用者はこの孔部３１から内部を覗くことにより、万華鏡の反射映像を観ることができる。
【００２１】
小片収容器４０は、小片を収容するためのものである。小片は、万華鏡におけるいわゆる覗くもの（オブジェクト）である。小片としては、ガラス、プラスチック、ビーズ、宝石、色紙等、いろいろなものを用いることができる。かかる小片により、万華鏡の映像表現（イメージ）が決定されることになる。また、本実施形態では、小片収容器４０の内部には、小片以外に、所定の液体が空気とともに封入されている。ここでは、液体として、例えばグリセリンオイルを用いている。
【００２２】
図３は本実施形態の小片収容器４０の概略斜視図、図４はその小片収容器４０の概略正面図である。ここで、図３以外の図面では、小片収容器４０内に封入されている小片、液体の図示を省略している。この小片収容器４０の全体形状は略柱状体である。具体的に、小片収容器４０は、図１、図３及び図４に示すように、本体部４１と、天板部４２と、蓋板部４３と、底板部４４とを有する。本体部４１は小片収容器４０の側部を構成する部位であり、中空の略柱状形状に形成されている。本体部４１の中心軸に沿った長さは約４ｃｍであり、本体部４１をその中心軸に垂直な平面により切断した断面の形状は、本体容器１０の形状と同様に、ハート形の形状である。本体部４１は、透明なアクリル樹脂を用いて例えば射出成形により作製される。
【００２３】
底板部４４は本体部４１の一方の開口部を覆うためのものである。この底板部４４は透明なアクリル樹脂を用いて、本体部４１の形状と同じ形状に作製されている。また、天板部４２は本体部４１の他方の開口部を覆うためのものである。この天板部４２は不透明なプラスチック材を用いて、本体部４１の形状と同じ形状に作製されている。但し、天板部４２の略中央部には孔部（不図示）が形成されている。この孔部は小片収容器４０の内部に小片及び液体を入れるためのものである。この孔部は蓋板部４３によって塞がれている。蓋板部４３は不透明なプラスチック材を用いて作製されている。ここでは、蓋板部４３を、天板部４２の形状と同じ形状であって天板部４２の大きさよりも若干小さな形状に形成している。
【００２４】
このように、小片収容器４０の断面形状はハート形の形状をしており、この点に本発明の特徴がある。すなわち、一般的に言えば、本実施形態の小片収容器４０は、その全体形状が略柱状体であり、その中心軸に垂直な平面により切断した断面の形状が少なくとも一つの凹部を有する形状であるという特徴を備えている。いま、本実施形態の小片収容器４０の断面形状について詳しく説明する。図５は本実施形態の小片収容器４０（本体部４１）の断面形状を説明するための図である。図５に示すように、小片収容器４０をその中心軸に垂直な平面により切断した断面の形状を表す図形（ハート形図形）は、二つの滑らかな曲線状部ｐ１，ｐ２と二つの直線状部ｑ１，ｑ２とから構成されている。ここで、滑らかな曲線状部ｐ１，ｐ２としては半円弧を用いている。図５では、曲線状部ｐ１，ｐ２同士を繋いだ点を点Ａ、曲線状部ｐ１と直線状部ｑ１とを滑らかに繋いだ点を点Ｂ、直線状部ｑ１，ｑ２同士を繋いだ点を点Ｃ、そして、直線状部ｑ２と曲線状部ｑ２とを滑らかに繋いだ点を点Ｄとして示している。これら四つの点のうち点Ａは当該点の近傍におけるハート形図形上の各点よりも内側に凹んでおり、この点Ａの近傍が凹部を構成している。すなわち、この凹部は二つの曲線状部ｐ１，ｐ２により略Ｖ字形状に形成されている。一方、点Ｃは当該点の近傍における当該ハート形図形上の各点よりも外側に突出しており、この点Ｃの近傍は凸部を構成している。すなわち、この凸部は二つの直線状部ｑ１，ｑ２により略逆Ｖ字形状に形成されている。このように、本実施形態の小片収容器４０の内側面は複雑な形状になっている。
【００２５】
次に、本実施形態の小片収容器４０の組み立て手順を説明する。
まず、天板部４２を本体部４１の一方の開口部に載せる。そして、接着剤注入用の注射針等を使って接着剤を本体部４１の内側から天板部４２と本体部４１との間に注入し、天板部４２を本体部４１に接着固定する。次に、底板部４４を本体部４１の他方の開口部に載せる。そして、接着剤注入用の注射針等を天板部４２の孔部から本体部４１内に挿入し、接着剤を本体部４１の内側から底板部４４と本体部４１との間に注入することにより、底板部４４を本体部４１に接着固定する。このように本体部４１の内側から接着剤を注入するのは、本体部４１と天板部４２（又は底板部４４）との接触面積は小さいので、これらを互いにしっかりと接着して液体の漏れを防止するためである。
【００２６】
次に、所望の小片を天板部４２の孔部から本体部４１内に入れる。その後、グリセリンオイル等の液体を天板部４２の孔部から注入する。注入する液体の量は、例えば小片収容器４０の容積の約８割程度とすることが望ましい。次に、蓋板部４３を天板部４２の孔部を覆うようにして天板部４２に接着する。このとき、蓋板部４３と天板部４２との接触面積は大きいので、誰でも接着剤を使って蓋板部４３と天板部４２とを簡単に接着することができる。こうして、小片収容器４０の組み立てが完了し、図３に示すような小片収容器４０が得られる。
【００２７】
尚、蓋板部４３を天板部４２に接着する作業は誰でも簡単に行えるので、天板部４２及び底板部４４が予め接着された本体部４１と、蓋板部４３とを、万華鏡用の小片収容器の組み立てキットとして販売することも可能である。
【００２８】
次に、本実施形態の小片収容器４０を用いた万華鏡の組み立て手順を説明する。
まず、本体容器１０の内部に鏡部を設置する。次に、本体容器１０の中心軸方向に沿った一方の端部に覗き窓部３０を取り付ける。そして、本体容器１０の中心軸方向に沿った他方の端部に小片収容器４０を取り付ける。このとき、小片収容器４０は、透明な底板部４４が本体容器１０の側に位置するように配置される。その後、本体容器１０の側面にカバー部２０を装着する。以上で、図１に示すような万華鏡が得られる。
【００２９】
次に、本実施形態の小片収容器４０内における小片の動きについて説明する。図６（ａ）〜（ｄ）は小片収容器４０内の小片の動きを説明するための図である。ここで、各図６（ａ）〜（ｄ）にはそれぞれ、万華鏡の本体容器１０を所定角度回転したときの小片収容器４０の状態とそのときの代表的な小片の動きとが示されている。また、これら各図（ａ）〜（ｄ）では、矢印付きの点線が小片の移動方向を表している。
【００３０】
本実施形態では、小片収容器４０の内側面が複雑な形状になっているので、例えば使用者が水平状態の万華鏡を覗きながら回すと、小片は小片収容器４０の内側面の形状に応じて移動方向、移動スピードの異なる複雑な動きを行うことになる。具体的に、例えば、小片収容器４０が図６（ａ）に示す状態にある場合、小片収容器４０の内側面のうち直線状部ｑ１の近くに位置する小片は、当該直線の形状に沿って移動し、小片収容器４０の内側面のうち曲線状部ｐ１，ｐ２の近くに位置する小片は、当該曲線（半円）の形状に沿って移動する。ここで、これらの小片についてはその移動方向だけでなく移動スピードも異なっている。また、小片収容器４０の内側面のうち凹部（点Ａ）の近くに位置する小片は、小片収容器４０が図（ｂ）に示す状態にある場合に、ほとんど移動せず、一方、小片収容器４０が図６（ｄ）に示す状態にある場合に、急激に回転中心に近づくように移動する。更に、小片収容器４０の内側面のうち凸部（点Ｃ）の近くに位置する小片は、当該小片収容器４０が図６（ｂ）の状態にある場合に、急激に回転中心に近づくように移動し、一方、当該小片収容器４０が図６（ｄ）に示す状態にある場合に、ほとんど移動しない。このように、特に、小片収容器４０の凹部又は凸部の近くに位置する小片は、小片収容器４０の状態に応じて、不規則な動きを行う。したがって、本実施形態では、小片収容器４０の内側面に沿って移動する小片に、移動方向及び移動スピードに関して不規則性を持たせることができるので、小片が移動する際のパターン化を排除することができる。
【００３１】
また、小片収容器４０内には、液体が空気とともに封入されている。このため、小片収容器４０内には液体と空気との境界面（液体表面）が生じるが、一般に、万華鏡では、万華鏡を傾けたときに生じる当該境界面と小片収容器４０の内面との境界線も小片とともに映像表現の一部を構成する。本実施形態では、使用者が水平状態の万華鏡を覗きながら回すと、この境界線も小片収容器４０の形状に応じて不規則な動きを行うことになるので、かかる境界線についてもその動きに関するパターン化を排除することができる。
【００３２】
上述したように、本実施形態の小片収容器では、その全体形状が略柱状体であり、その中心軸に垂直な平面により切断した断面形状が少なくとも一つの凹部を有する形状であることにより、使用者がこの小片収容器を用いた万華鏡を覗きながら回すと、小片は小片収容器の凹部の近くでは、不規則な動きを行うことになる。このように、本実施形態の小片収容器では、簡易な構成により、小片に不規則な動きを行わせて、小片が移動する際のパターン化を排除することができるので、この小片収容器を用いた万華鏡は、小片の不規則な変化が生み出す、従来にない複雑な反射映像を表現することができる。したがって、万華鏡の使用者は、これまで観たことのない複雑、精緻且つ華麗な反射映像を楽しむことができる。
【００３３】
また、本実施形態の小片収容器の内部には液体を空気とともに封入したことにより、液体表面と小片収容器の内面との境界線も、小片収容器の凹部の近くでは、不規則な動きを行うことになるので、この小片収容器を用いた万華鏡は、小片の不規則な変化に加えて、当該境界線の不規則な変化が作り出す、従来にない複雑な反射映像を表現することができる。
【００３４】
更に、本実施形態の小片収容器では、小片収容器内の小片及び上記境界線が小片収容器の凹部に沿って移動する際に不規則に変化するので、これら小片及び境界線の変化によって作り出される反射映像も不規則に変化する。このため、この小片収容器を用いた万華鏡は、その反射映像を観る者に、自然界における風や音と同じように、１／ｆゆらぎによる心地よさを与えることができる。
【００３５】
また、本実施形態では、小片収容器をその中心軸に垂直な平面により切断した断面形状が、直線状部と曲線状部とを有することにより、小片は小片収容器の内側面のうち直線状部に沿って移動する場合と曲線状部に沿って移動する場合とで、移動方向、移動スピードの異なる動きを行うことになるので、この小片収容器を用いた万華鏡の使用者は、直線状部と曲線状部による小片の変化が生み出す反射映像をも楽しむことができる。
【００３６】
更に、本実施形態では、小片収容器をその中心軸に垂直な平面により切断した断面形状をハート形の形状とし、このハート形の形状を二つの曲線状部と二つの直線状部とから構成していることにより、小片収容器を容易且つコンパクトに作製することができる。
【００３７】
尚、本発明は上記の実施形態に限定されるものではなく、その要旨の範囲内において種々の変形が可能である。
【００３８】
例えば、上記の実施形態では、小片収容器内に所定の液体を空気とともに封入した場合について説明したが、小片収容器内に液体を入れないようにしてもよい。
【００３９】
また、上記の実施形態では、小片収容器をその中心軸に垂直な平面により切断した断面形状がハート形の形状である場合について説明したが、小片収容器の形状はハート形の形状に限られず、その中心軸に垂直な平面により切断した断面の形状が少なくとも一つの凹部を有する形状であれば、どのような形状であってもよい。図７は小片収容器の断面形状の他の変形例を説明するための図である。図７（ａ）には四つの凹部を有する断面形状の小片収容器の例が示され、図７（ｂ）には三つの凹部を有する断面形状の小片収容器の例が示され、そして、図７（ｃ）には二つの凹部を有する断面形状の小片収容器の例が示される。これらいずれの断面形状を有する小片収容器であっても、上述した本実施形態の小片収容器と同様の作用・効果を奏する。また、図７（ａ）〜（ｃ）に示す各断面形状は線対称性や回転対称性を持っているが、一般に、本発明の小片収容器の断面形状は必ずしも対称性を持っている必要はない。
【００４０】
更に、上記の実施形態では、万華鏡の本体容器の断面形状が、小片収容器の断面形状と同じ形状である場合について説明したが、本体容器の断面形状は、小片収容器の断面形状と異なる形状であってもよい。例えば、本体容器の断面形状を円形、六角形等にしてもよい。
【産業上の利用可能性】
【００４１】
以上説明したように、本発明の小片収容器では、その全体形状が略柱状体であり、その中心軸に垂直な平面により切断した断面形状が少なくとも一つの凹部を有する形状であることにより、使用者がこの小片収容器を使用した万華鏡を覗きながら回すと、小片は小片収容器の凹部の近くでは、不規則な動きを行うことになる。このように、本発明の小片収容器では、小片に不規則な動きを行わせて、小片が移動する際のパターン化を排除することができるので、この小片収容器を用いた万華鏡は、小片の不規則な変化が生み出す、従来にない複雑な反射映像を表現することができる。したがって、本発明は、万華鏡用の小片収容器として用いるのに最適である。
【符号の説明】
【００４２】
１０  本体容器
２０  カバー部
２１  紐
２２  鳩目
２３  当て布
３０  覗き窓部
３１  孔部
４０  小片収容器
４１  本体部
４２  天板部
４３  蓋板部
４４  底板部
【図１】
2013205537.tif 000003
【図２】
2013205537.tif 000004
【図３】
2013205537.tif 000005
【図４】
2013205537.tif 000006
【図５】
2013205537.tif 000007
【図６】
2013205537.tif 000008
【図７】
2013205537.tif 000009